(57)【特許請求の範囲】
【請求項１】
上下２面を有し、上面に有底開孔が形成されている台座と、
前記有底開孔を遮蔽し、且つ前記台座との間に前記有底開孔と連通している収納空間を形成するように上から前記台座と結合されている開口付き蓋体と、
前記台座の下面から下方へ第１の金属接続ピンと第２の金属接続ピンとをほぼ並行するように突出させ、且つ、前記有底開孔内にオフ接点を構成するよう、前記第１及び第２の金属接続ピンそれぞれの上端部を互いに接触しない状態で前記台座を貫通して前記有底開孔内に延伸させてなるオフ接点組みと、
上へ突出しているカーブ状の弾性金属片からなり、一端が前記有底開孔内の第１の金属接続ピンと常時接続し、他端が前記有底開孔内の第２の金属接続ピンと隙間を開けて常時離間するように、前記オフ接点組みと前記蓋体との間に設置されているコンタクターと、
前記コンタクターと上から接触し、且つ一部が前記蓋体の開口から前記蓋体外に露出するように前記蓋体の収納空間内に回動自在に枢支されているレバーとからなり、
且つ、前記レバーが作動されると、前記コンタクターをその弾性に抗しながら押圧し、前記コンタクターの前記他端を前記有底開孔内の前記第２の金属接続ピンに接触させて前記オフ接点組みをオンにさせ、そして、再度に作動されると、前記オフ接点組みをオフに復帰させるように構成され、
前記コンタクターそれ自体の前記他端近くから前記一端から遠ざかる方向へ取付板が延伸してあり、該取付板は前記台座に固定されている、
ことを特徴とするオン−オフスイッチ。
【請求項２】
前記コンタクター及び前記取付板は、それぞれ、同一の扁平長尺状の金属板材をプレス加工してなる一体のものの一端側及び他端側にあり、前記他端側にある取付板の自由端縁近くに前記台座に固定されるための取付孔が形成してあり、また、前記一端側にあるコンタクターの前記他端は前記金属板材の面に穴を形成するようにその面から下へ一部を打ち出してなることを特徴とする請求項１に記載のオン−オフスイッチ。
【請求項３】
前記第１の金属接続ピン及び前記第２の金属接続ピンそれぞれの上端は、前記台座の反対両側からほぼ水平に互いに対向するように前記有底開口内に延伸したことを特徴とする請求項１又は２のいずれかに記載のオン−オフスイッチ。
【発明の詳細な説明】
【０００１】
【発明の属する技術分野】
本発明は、オン‐オフスイッチ及びそれによるデュアルインライン実装スイッチ装置に関する。
【０００２】
【従来の技術】
従来のデュアルインライン実装（ＤＩＰ）スイッチ装置は、通常、図１に示されているように、複数のオン‐オフスイッチ１を並列してなる。それらのオン‐オフスイッチ１は、まず、図２に示されているように、それぞれ、台座１２と、開口１３１付き蓋体１３とを有する。前記台座１２は、上下２面を有し、その上面に有底開孔１２１が形成してある。前記開口１３１付き蓋体１３は、上から前記台座１２と結合すると、前記有底開孔１２１を遮蔽し、且つそれと前記台座１２との間に前記有底開孔１２１と連通している収納空間１３２を形成する。
そして、前記台座１２の下面の反対両側には、それぞれ、前記台座１２外から前記台座１２内に貫通した銅製の弾性接続ピン１４，１５が設けられている。該２の銅製の弾性接続ピン１４，１５は、それぞれの一端側１４１，１５１が端子として前記台座１２外にほぼ並立し、他端側１４２，１５２がほぼ水平に前記有底開孔１２１内に対向方向から延伸してから、オンの状態を形成するように互いに接触している。
【０００３】
また、前記蓋体１３の収納空間１３２内には、レバー１６が回動自在に枢接されている。前記レバー１６は、前記銅製の弾性接続ピン１５の他端１５２寄りの上方に突起１６１が形成してあり、且つその一部１６２が前記蓋体１３の開口１３１から前記蓋体１３外に露出している。
【０００４】
それにより、図３に示されているように、前記レバー１６が作動されて下へ移ると、前記レバー１６の前記突起１６１が前記弾性接続ピン１５の弾性に抗しながら前記弾性接続ピン１５の他端１５２を押圧し、前記他端１５２を前記弾性接続ピン１４の他端１４２と所定隙間で離間してオフの状態にさせ、そして、再度に作動されて上へ移ると、図２に示されているように、オンの状態に復帰させることができる。
【０００５】
【発明が解決しようとする課題】
このようなオン‐オフスイッチ１は、オン・オフの機能を備えているが、前記弾性接続ピン１５は、破断強度の弱い銅材料からなり、且つ、その他端側１５２の前記レバー１６からの作動力を受けるところはほぼ直かん状で、曲げ強さがあまり良くないため、弾性疲れが生じ易いので、オン・オフを繰り返して切換えられると、弾性復帰力が消えて好調に切換えられないようになる。即ち、従来のオン‐オフスイッチ１は、使用寿命が短いという欠点がある。
【０００６】
上記に鑑み、本発明の目的は、弾性疲れが生じ難くて、使用寿命が従来より長いオン‐オフスイッチ及びそれによるデュアルインライン実装スイッチ装置を提供することである。
【０００７】
【課題を解決するための手段】
上記目的を達成するために、本発明は、まず、上下２面を有し、その上面に有底開孔が形成してある台座と、前記有底開孔を遮蔽し、且つそれと前記台座との間に前記有底開孔と連通している収納空間を形成するように上から前記台座と結合されている開口付き蓋体と、前記台座の下面から下方へ第１の金属接続ピンと第２の金属接続ピンとをほぼ並立するように突出させ、且つ、前記有底開孔内にオフ接点を構成するよう、前記第１及び第２の金属接続ピンそれぞれの上端部を互いに接触しない状態で前記台座を貫通して前記有底開孔内に延伸させてなるオフ接点組みと、上へ突出しているカーブ状の弾性金属片からなり、その一端が前記有底開孔内の第１の金属接続ピンと常時接触し、他端が前記有底開孔内の第２の金属接続ピンと隙間を開けて常時離間するように、前記オフ接点組みと前記蓋体との間に設置されているコンタクターと、前記コンタクターと上から接触し、且つその一部が前記蓋体の開口から前記蓋体外に露出するように前記蓋体の収納空間内に回動自在に枢支されているレバーとからなり、且つ、前記レバーが作動されると、前記コンタクターをその弾性に抗しながら押圧し、その前記他端を前記有底開孔内の前記第２の金属接続ピンに接触させて前記オフ接点組みをオンにさせ、そして、再度に作動されると、前記オフ接点組みをオフに復帰させるように構成されていることを特徴とするオン‐オフスイッチを提供する。
【０００８】
前記構成によるオン‐オフスイッチは、カーブ状のコンタクターを介して前記オフ接点組みをオン・オフさせるため、それらの上端部で接点組みを構成している第１及び第２の金属接続ピンのいずれもレバーからの作動力を受けないので、破断や弾性疲れを生ずることはなく、また、レバーからの作動力を受ける前記コンタクターはカーブ状であるので、曲げ強さが従来の直かん状より遥かに大であり、且つまた、前記コンタクターの揺動支点としての一端は固定式でなく、遊動的に前記第１の金属接続ピンに常時接触して支持されているので、レバーからの作動力による曲げモーメントを遊動的に解消することができる、即ち、前記構成によるオン‐オフスイッチは、構成上にとって、弾性疲れが生じ難くて、従来のオン‐オフスイッチより使用寿命が遥かに長いという利点がある。
【０００９】
そして、前記コンタクターそれ自体の前記他端近くから取付板が延伸してあり、それにより前記コンタクターは前記取付板によって前記台座に固定されることができる。前記取付板が延伸してあるコンタクター全体は以下コンタクター素子と称する。前記取付板は、溶接の方式で前記コンタクターと連接してなっても良く、前記コンタクターと一体に成型してなっても良い。前記コンタクターと前記取付板とが一体の扁平長尺状の金属板材をプレス加工によって成型してなる場合、前記コンタクター及び前記取付板は、それぞれ、当該扁平長尺状の金属板材の一端側及び他端側に形成されており、且つ、前記他端側に形成されている取付板の自由端縁近くに前記台座に係止固定されるための取付孔が形成してあり、また、前記一端側に形成されているコンタクターの前記他端は前記金属板材の面に穴を形成するようにその面から下へ一部を打ち出してなることが好ましい。そうすると、前記コンタクター素子の成型時、材料コストを節約することができるのみならず、前記金属板材に予めて前記穴を形成しておき、後続の成型プロセスにおける成型用機具の定位を容易且つ正確にさせることができ、また、オン‐オフスイッチの組立て時、前記取付板に形成してある前記取付孔によって前記台座に係止し、前記コンタクター素子を前記台座の正確の位置に簡単に固定することもできるので、イールドを向上させてコストを更に低減させることができる。
【００１０】
そして、前記コンタクターは、弾性復帰力が良く、弾性疲れが比較的に生じ難いＴｉＣｕ合金材から形成してなることが好ましい。
【００１１】
なお、本発明は、前記オン‐オフスイッチの構造に基づいて、更に、前記オン‐オフスイッチを複数個並列してなるデュアルインライン実装（ＤＩＰ）スイッチ装置を提供することができる。
【００１２】
【発明の実施の形態】
以下、本発明の好ましい実施形態について、複数のオン‐オフスイッチを並列してなるデュアルインライン実装スイッチ装置を例として詳しく説明する。
【００１３】
本発明のデュアルインライン実装スイッチ装置は、まず、図４に示されているように、台座５と、蓋体６を有する。もっと詳しく説明すると、前記台座５は、略直方体形状であって、上下２面を有し、その上面５１に複数の有底開孔５２が形成してあり、その長手方向上の互いに反対する（即ち左右両側にそれぞれある）２側面５３にそれぞれ係合溝５３１が形成してある。そして、前記複数の有底開孔５２同士間と前記上面５１の前記長手方向上における最左及び最右側には、それぞれ梯形の係合用突起５４が設けられている。前記上面５１の複数の有底開孔５２の図中の後方には、それぞれ取付用突起５５が設けられている。
【００１４】
そして、前記蓋体６は、略直方体形状の外形があって、前記台座５の前記複数の有底開孔５２と対応する複数の開口６１がついてあり、且つ、前記蓋体６の内部には、上から前記複数の開口６１を前記複数の有底開孔５２と照準して前記蓋体６で前記台座５をカバーすると、前記複数の梯形の係合用突起５４及び前記２の係合溝５３１と嵌合する構造が形成されており、また、前記蓋体６と前記台座５とを前記のように結合すると、前記蓋体６は前記複数の有底開孔５２を遮蔽し、且つ、前記蓋体６と前記台座５との間には、それぞれ対応の前記有底開孔５２と連通している複数の収納空間６２を形成する。また、前記複数の開口６１の開口縁には、それぞれ凹溝６３が形成してある。
【００１５】
そして、前記台座５の前記複数の有底開孔５２の下面近くには、それぞれオフ接点組み７が設けられている。前記オフ接点組み７は、第１の金属接続ピン７１と第２の金属接続ピン７２とからなる。もっと詳しく説明すると、前記第１の金属接続ピン７１と前記第２の金属接続ピン７２は、それぞれの下端部７１１，７２１が端子として前記台座５の下面から下方へほぼ並立するように突出し、且つ、前記有底開孔５２内にオフ接点を構成するよう、それぞれの上端部７１２，７２２が互いに接触しない状態で前記台座５の反対両側からほぼ水平に互いに対向するように前記台座５内に貫通して前記有底開孔５２内に延伸してなる。
【００１６】
そして、前記複数のオフ接点組み７と前記蓋体６との間には、それぞれ扁平長尺状のＴｉＣｕ合金板材を例えばプレス加工によって形成してなるコンタクター素子８が設置されている。前記コンタクター素子８は、前記長尺状のＴｉＣｕ合金板材の一端側に形成されているコンタクター８１と他端側に形成されている取付板８２とからなる。前記コンタクター８１は、中間部が上へ突出し、且つ、２端８１１，８１２を斜め下へ延伸してなるカーブ状である。前記コンタクター８１の２端は自由端としての一端８１１と、前記長尺状のＴｉＣｕ合金板材の面に穴８２１を形成し且つその直前に前記取付板８２を延伸させるようにその面から下へ一部を打ち出してなる他端８１２とがある。また、前記取付板８２の自由端近くに前記台座５の取付用突起５５に固定されるための取付孔８２２が形成してある。即ち、前記取付板８２は、前記コンタクター８１から自由端縁へ、順次に、後続の成型プロセスにおける成型用機具の定位を容易且つ正確にさせることができる穴８２１と、前記台座５の前記取付用突起５５に係合されるための取付孔８２２とが形成してある。前記コンタクター素子８は、前記取付孔８２２により、前記コンタクター８１の一端８１１が前記有底開孔５２内の第１の金属接続ピン７１と常時接触し、他端８１２が前記有底開孔５２内の第２の金属接続ピン７２と隙間を開けて常時離間するように、前記台座５の取付用突起５５に係止固定されている。
【００１７】
なお、前記蓋体６の複数の収納空間６２内には、それぞれレバー９が回動自在に枢支されている。前記レバー９は、前記コンタクター８１の中間部と上から接触し、且つその一部９１が前記蓋体６の開口６１から前記蓋体６外に露出している。また、前記レバー９の前記蓋体６の凹溝６３と対応するところには、突起９２が形成してある。
【００１８】
それにより、前記レバー９が作動されて下へ移ると、図６に示されているように、前記コンタクター８１の弾性に抗しながら押圧し、前記コンタクター８１の前記他端８１２を前記有底開孔５２内の前記第２の金属接続ピン７２に接触させて前記オフ接点組み７をオンにさせることができる。その時、前記突起９２と前記蓋体６の凹溝６３との構造関係によって前記レバー９を係止することができるので、前記オフ接点組み７をオンの状態に保持することができる。そして、図５に示されているように、前記レバー９が再度に作動されて前記突起９２と前記蓋体６の凹溝６３との間の係止を解除してから上へ移ると、前記オフ接点組み７をオフに復帰させることができる。
【００１９】
本発明のオン‐オフスイッチ及びそれによるデュアルインライン実装スイッチ装置におけるコンタクター素子８は弾性復帰力が良くて、弾性疲れが比較的に生じ難いＴｉＣｕ合金材からなるのみならず、スイッチのオン・オフ構成にとっても、従来より丈夫であるので、耐用寿命がかなり長い。また、前記コンタクター素子８の成型時、前記穴８２１を予め形成しておくことができるため、後続の成型プロセスにおいて成型用機具の定位を容易且つ正確にさせることができ、そしてまた、前記オン‐オフスイッチの組立て時、前記コンタクター素子８の取付板８２に形成してある前記取付孔８２２と前記台座５の取付用突起５５との係合によって、前記コンタクター素子８を前記台座５の正確の位置に簡単に固定することもできるので、歩留まりを向上させてコストを更に低減させることができる。
【００２０】
以上説明した実施の形態は、あくまでも本発明の技術的内容を明らかにする意図のものにおいてなされたものであり、本発明はそうした具体例に限定して狭義に解釈されるものではなく、本発明の精神と特許請求の範囲に述べられた範囲で、いろいろと変更して実施できるものである。
【図面の簡単な説明】
【図１】図１は、従来のオン‐オフスイッチによるデュアルインライン実装スイッチを示す斜視図である。
【図２】図２は、前記従来のオン‐オフスイッチのオン状態を示す断面図である。
【図３】図３は、前記従来のオン‐オフスイッチのオフ状態を示す断面図である。
【図４】図４は、本発明の好ましい実施形態のオン‐オフスイッチによるデュアルインライン実装スイッチを示す分解斜視図である。
【図５】図５は、前記本発明のオン‐オフスイッチのオフ状態を示す断面図である。
【図６】図６は、前記本発明のオン‐オフスイッチのオン状態を示す断面図である。
【符号の説明】
５  台座
５１  上面
５２  有底開孔
５３  側面
５３１  係合溝
５４  係合用突起
５５  取付用突起
６  蓋体
６１  開口
６２  収納空間
６３  凹溝
７  オフ接点組み
７１  第１の接続ピン
７１１  下端部
７１２  上端部
７２  第２の接続ピン
７２１  下端部
７２２  上端部
８  コンタクター素子
８１  コンタクター
８１１  一端
８１２  他端
８２  取付板
８２１  穴
８２２  取付孔
９  レバー
９１  一部
９２  突起
【図１】
0003895639.tif 000002
【図２】
0003895639.tif 000003
【図３】
0003895639.tif 000004
【図４】
0003895639.tif 000005
【図５】
0003895639.tif 000006
【図６】
0003895639.tif 000007